(57)【要約】      （修正有）【課題】ゴルフ練習者に、スイング前後の適正なスイング域を視覚で感知させるゴルフクラブ練習補助具を提供する。【解決手段】ゴルフクラブ下方垂直方向に延在して配置され、握り部近辺のシャフト部分に取り付けられる取り付け板２と、取り付け板に固定され、ゴルフシャフト先端方向に末広がりに広がる形状を有する三角形状板５と、からなるゴルフクラブ練習補助具において、取り付け板２の片側面上に、ゴルフシャフト１２から見てゴルフシャフトの握り部付近からゴルフシャフトの先端方向に鋭角をなすように、ゴルフクラブスイングの開始直後の確認ライン５１が設けられ、他方側面上に、ゴルフシャフトから見てゴルフシャフトの握り部付近からゴルフシャフトの先端方向に鋭角をなすように、ゴルフクラブスイングの終了前の確認ライン５２が設けられて構成される。【選択図】図３
0003219573.tif 000002
【実用新案登録請求の範囲】
【請求項１】
ゴルフクラブ下方垂直方向に延在して配置可能とされ、ゴルフクラブのゴルフシャフトの手元の握り部の近辺のシャフト部分にゴルフシャフトに沿って取り付けられる取り付け板部と、該取り付け板に固定され、ゴルフシャフトから見てゴルフシャフトの握り部付近からゴルフシャフトの先端方向に鋭角をなし、ゴルフシャフト先端方向に末広がりに広がる形状を有する三角形状板と、からなるゴルフクラブ練習補助具において、
前記取り付け板は、その片側面上に、ゴルフシャフトから見てゴルフシャフトの握り部付近からゴルフシャフトの先端方向に鋭角をなすように形成された、一方のゴルフクラブスイングの確認ラインが、そしてその他方側面上に、ゴルフシャフトから見てゴルフシャフトの握り部付近からゴルフシャフトの先端方向に鋭角をなすように形成された、他方のゴルフクラブスイングの確認ラインが設けられ、ゴルフクラブ練習者に、一方のゴルフクラブスイング確認ラインがゴルフクラブスイングの開始直後の地表に対する傾斜程度を視認させ得、他方のゴルフクラブスイング確認ラインがゴルフクラブスイングの終了前の地面に対する傾斜程度を視認させ得る取り付け板であること
を特徴とするゴルフクラブ練習補助具。
【考案の詳細な説明】
【技術分野】
【０００１】
本考案は、ゴルフクラブ練習補助具に関する。
【背景技術】
【０００２】
ゴルフ練習に当たってはゴルフクラブを何度もスイングすることがなされる。この時に、ゴルフクラブをダウンスイングからインパクトゾーン、そしてフォローゾーンへと振っていくことになる。このダウンスイングからインパクトゾーン、そしてフォローゾーンへの振りを目標に向かって正確に行えるようになることが大切であるといわれている。
【０００３】
特許文献１には、リストコックのタイミング及びリリースのタイミングを練習できるゴルフスイング練習用具が記載されている。
【０００４】
特許文献２には、ルフクラブ下方垂直方向に延在して配置可能とされ、ゴルフクラブのゴルフシャフトの手元の握り部の近辺のシャフト部分にゴルフシャフトに沿って取り付けられる取り付け板と、この取り付け板に固定され、ゴルフシャフトから見てゴルフシャフトの握り部付近からゴルフシャフトの先端方向に鋭角をなし、ゴルフシャフト先端方向に末広がりに広がる形状を有する三角形状板と、からなるゴルフクラブ練習補助具が記載される。
【先行技術文献】
【特許文献】
【０００５】
【特許文献１】特開２００７−２９６２６１号公報
【特許文献２】実用新案登録第３２１３４６５号公報
【考案の概要】
【考案が解決しようとする課題】
【０００６】
特許文献１に記載されたゴルフスイング練習用具は、タイミングを練習するものであり、スイングの円軌道を修得練習するものではない。
【０００７】
特許文献２に記載されたゴルフクラブ練習補助具は、本願の考案者になるものである。本文献には、鈴を取り付けることで音感知による適正なゴルフスイングをすることに効果があるが、正しいスイング域を取得させるにはまだ十分であるとはいえない。
【０００８】
本願の考案者は、適正なゴルフスイングにあるべきスイング域について長年研究してきた。ゴルフのスイング領域に関して、スイング開始直後のクラブの地表に対するクラブ角度並びにスイング終了前のクラブの地表に対するクラブ角度はゴルフボールを、フエアウエアを外すことなく、また飛距離を確保する上で重要であり、ゴルフ練習者に、視覚によってスイング前後の適正なスイング域を感知させることが重要であることを認識するに至った。その実現手段について模索してきた。その実現手段が特許文献２に記載されたゴルフクラブ練習補助具を活用することで提供することができることに気付いた。
【０００９】
本考案は、かかる点に鑑み特許文献２に記載された、本考案者になるゴルフクラブ練習補助具を活用することでゴルフ練習者に、視覚によってスイング前後の適正なスイング域を視覚で感知させるゴルフクラブ練習補助具を提供することを課題とする。
【課題を解決するための手段】
【００１０】
本考案は、ゴルフクラブ下方垂直方向に延在して配置可能とされ、ゴルフクラブのゴルフシャフトの手元の握り部の近辺のシャフト部分にゴルフシャフトに沿って取り付けられる取り付け板部と、該取り付け板に固定され、ゴルフシャフトから見てゴルフシャフトの握り部付近からゴルフシャフトの先端方向に鋭角をなし、ゴルフシャフト先端方向に末広がりに広がる形状を有する三角形状板と、からなるゴルフクラブ練習補助具を用いる。
【００１１】
本考案は、このゴルフクラブ練習補助具において、
前記取り付け板は、その片側面上に、ゴルフシャフトから見てゴルフシャフトの握り部付近からゴルフシャフトの先端方向に鋭角をなすように形成された、一方のゴルフクラブスイングの確認ラインが、そしてその他方側面上に、ゴルフシャフトから見てゴルフシャフトの握り部付近からゴルフシャフトの先端方向に鋭角をなすように形成された、他方のゴルフクラブスイングの確認ラインが設けられ、ゴルフクラブ練習者に、一方のゴルフクラブスイング確認ラインがゴルフクラブスイング開始直後の地面に対する傾斜程度を視認させ得、他方のゴルフクラブスイング確認ラインがゴルフクラブスイング終了前の地面に対する傾斜程度を視認させ得る取り付け板であることを特徴とするゴルフクラブ練習補助具を提供する。
【考案の効果】
【００１２】
本考案は、上述したように構成されているので、ゴルフクラブ練習者に、一方のゴルフクラブスイング確認ラインがゴルフクラブスイング開始直後の地表に対する傾斜程度を視認させ得、他方のゴルフクラブスイング確認ラインがゴルフクラブスイング終了前の地表に対する傾斜程度を視認させ得る。
【００１３】
これによって、特許文献２に記載された、本考案者になるゴルフクラブ練習補助具を活用することでゴルフ練習者に、スイング前後の適正なスイング域を視覚で感知させるゴルフクラブ練習補助具を提供することができる。
【図面の簡単な説明】
【００１４】
【図１】特許文献２に記載された、本考案者になるゴルフクラブ練習補助具を示す図であり、図１（ａ）は、本考案が適用されるゴルフクラブ練習補助具の構造を示す平面図、図１（ｂ）は、図１（ａ）の音発生部の拡大図。
【図２】図１の構成によって得られるこぼれ日によって形成されたこぼれ日面積を示す図。
【図３】本考案の実施例の構造を示す斜視図。
【図４】本考案の実施例の構造を示す一方側からの側面図。
【図５】本考案の実施例の構造を示す他方側からの側面図。
【図６】スイング時におけるゴルフクラブスイング確認ラインと地表との傾斜角度を示す図。
【考案を実施するための形態】
【００１５】
以下、本考案の実施例を図面に基づいて説明する。
【実施例１】
【００１６】
図１は、特許文献２に記載された、本考案者になるゴルフクラブ練習補助具を示す図であり、図１（ａ）は、本考案が適用されるゴルフクラブ練習補助具の構造を示す平面図、図１（ｂ）は、図１（ａ）の音発生部の拡大図である。
【００１７】
図２は、図１の構成によって得られるこぼれ日によって形成されたこぼれ日面積を示す図である。
【００１８】
図１おいて、ゴルフクラブ練習補助具１は、ゴルフクラブ１１の下方垂直方向に延在して配置可能とされ、ゴルフシャフト１２の一部であってグリップ部（握り部）１３の近辺シャフト部分１４をシャフト方向に収納する、一定深さの長手溝３を備えた取り付け板２と、該長手溝１３の反対側の取り付け板底部４に固定され、長手溝３の方向に対して鋭角をなし、取り付け板２がゴルフクラブ１１に取り付けられた時に、ゴルフクラブ先端方向に末広がりに広がる形状とされた三角形状板（ラケット板という。）５と、ゴルフシャフト１２を長手溝３に収納した時に、取り付け板部２に設けられた、ゴルフシャフト１２に取り付け部２を固定する取り付けバンド等の固定部材１７、１８とから構成される。
【００１９】
また、ゴルフクラブ練習補助具１は、三角形状板５の先端部２２に固着される音発生部３０を備える。この音発生部３０は、内部に空間Ｓを有する中空筐体からなる中空筐体部３１と、この中空筐体部３１の内部に収容される鈴３２と、中空筐体部３１と三角形状板５の先端部２２とを固着する固着部３３と、からなることを特徴とするゴルフクラブ練習補助具を提供する。Ｌは、切欠き部を示すための切欠き線である。
【００２０】
ゴルフクラブ練習補助具１を構成する上述した各構成要素は、樹脂（プラスチック）あるいは木材あるいはその他の材料で構成され得る。複数の材料を組み合せて作られてよい。
【００２１】
図３は、本考案の実施例の構造を示す斜視図である。図３にあっては、鈴の取付け方が図１に示されるものとは別の仕方が採用された。
【００２２】
図１〜図３を用いて従来のゴルフクラブ練習補助具１の構成を説明する。
【００２３】
これらの図において、取り付け板２は、側方から見ると、台形をなし、ゴルフクラブ１１の下方垂直方向に延在する双方の端面は平行をなし、取り付け板底部４は、長手溝３の方向に対して鋭角をなす。この角度は、例えば２４度近辺の鋭角をなす。三角形状板５の先端方向は、長手溝３の方向に対して２４度近辺の鋭角をなす。２４度近辺とは厳密に２４度である必要なく、２４±５度程度をいう。以下、２４度を採用して説明する。長手溝３は、取り付け板部２の上面の全面に亘って端から端まで設けられている。この構成によって、長手溝３は、ゴルフシャフト１２の一部であってグリップ部１３の近辺シャフト部分１４をシャフト方向に収納することができる。
【００２４】
三角形状板５は、ゴルフクラブ先端方向に末広がりに広がる形状とされ、先端部が三葉に分岐した形態となっている。この三葉部２１は、取り付け板部２の前方まで延在する。
【００２５】
この三葉にしたことは意匠が向上するようにしたものであり、この形状に限定されない。多葉であってもよいし二葉であってもよい。機能的には全体的に三角形状であるということになる。
【００２６】
三角形状板５が取り付け板底部４に固定用の樹脂によって固定されると、ゴルフクラブ練習補助具１は、紙飛行機を逆立ちさせた形状となり、水平状態を観察しやすい。これは、この角度が性別、体格等によって適切な角度があるということであり、大人の男性の場合に２４度が適切であるということである。勿論、大人の男性であっても２４度からずれて設定されても構わない。
【００２７】
取り付け板２には、左右の両端部には切欠く部１５，１６が設けてあり、この部分に取り付け固定部材１７、１８が適宜方法で取り付けてある。固定部材１７、１８は、突出部１９，２０を一周して、長手溝３に収納されたゴルフシャフト１２にゴルフクラブ練習補助具１を固定することが出来る。
【００２８】
音発生部３０の中空筐体部３１としては、カメラのフィルムケースのごとき中空円筒状のプラスチックケースが用いられる。また、固着部３３は、一般的な構造のビニールテープが用いられる。また、鈴３２は、一般的に用いられる鈴が適用される。これら中空筐体部３１、鈴３２および固着部３３は、音声感知の効果を奏することができれば別の構造のものを用いてもよい。
【００２９】
このようにして、スイング時において、鈴３２が重力によって中空筐体部３１内を移動して中空筐体部３１の内面３４に打衝することとなる。これにより鈴３２が鳴り、音Ｓが発生する。この中空筐体部３１と鈴３２は、各スイング時における重力により音発生体が移動して中空筐体部３１の内面３４に打衝して音が鳴るものであれば、構造は問わない。
【００３０】
取り付け板部２は、ゴルフシャフト１２を長手溝に収納して、取り付け板部２に設けられた、ゴルフシャフト１２に取り付け部２を固定部材１７、１８によってゴルフクラブ１１に取り付けられる。この固定状態では、ゴルフクラブ１１に対する三角形状板５の取り付け角度は２４度をなす。ゴルフクラブを最下位セットした時に、ゴルフクラブ練習補助具１は、ゴルフシャフト１２の下方垂直方向になる。最上位にセットした時に逆の配置となる。
【００３１】
ゴルフ練習者１０は、ゴルフ練習する時、日の当たる場所で、晴れた正午ごろ太陽を背部にしてゴルフクラブ１１をセットし、構える。この状態では、太陽光の方向は、真後ろに来る。また、ゴルフ練習者は、自身の身長の高さと真後ろに形成されるゴルフ練習者の影の高さとが同じ高さなるようにセットし、構える。
【００３２】
この状態でゴルフクラブ１１のスイングを行うゴルフクラブ１１のスイング角度でゴルフクラブ練習補助具１の三角形状板５の地面に対する角度が変わる。ゴルフクラブ１１のスイングに伴うゴルフクラブ練習補助具１の三角形状板５の地面に対する角度と太陽によって形成される両手の間を通り抜けた太陽光によって形成される日の当った面との関係を観察する。この太陽の当った面の大きさは太陽が時間によって木の葉の問をこぼれて日が当たった面積を変えて行くことに似ており、こぼれ日面積の観察のようになる。
【００３３】
図２に示す三角形状３５が、ゴルフ練習者１０の影の部分に、スイングに伴って形成されるこぼれ日面積の形成状況を示す。このこぼれ日面積は、スイング角度によって変化する。このこぼれ日面積を観察してのスイングをここではシャドウゴルフスイングという。
【００３４】
今、理想的なゴルフスイングを想定する。トップスイングよりダウンスイングに入るポジションでこぼれ日面積が一番大きくなる。スイングに伴ってこぼれ日面積は小さくなっていく。シャフトが上方２４度傾いている時に、三角形状板５は水平になる。この時の地面に形成されたこぼれ日面積を観察する。こぼれ日面積は、図２に示すように小さな三角形状の面積となる。インパクトゾーンに入ると、こぼれ日面積は消滅する。インパクトゾーンでボールが通常の練習と同じにヒットされる。インパクトゾーンが終わり、フォロースイングなるとこぼれ日面積は再び現れ、大きくなって行き、ゴルフシャフト２４度で三角形状板５は水平になり、こぼれ日面積は、前述のこぼれ日面積と同じになる。そして再びこぼれ日面積は大きくなる。この状態がフィニッシュ状態で消滅する。このようにして三角形状板５は水平状態での対称こぼれ日三角面積を観察しながらゴルフスイングを行う。ゴルフクラブ１１のスイングに伴うゴルフクラブ練習補助具１の三角形状板５の地面に対する角度と太陽によって形成される両手の間を通り抜けた太陽光によって形成される日の当った面との関係を観察することができる。このようにしてゴルフクラブスイングをイメージしながら実行すると、ゴルフ練習者１０に最適なスイングを行うことができるようになる。
【００３５】
また、本実施例においては、最適なゴルフスイングのポジションを音発生部３０から発生する音Ｓによって決めることができる。
【００３６】
音発生部３０の鈴３２は、テークバック動作が最大の位置に来ている時に、音Ｓが発生されるため、ゴルフ練習者は、スイングの練習時にこれら音Ｓを確認しながらスイングの練習が行えるので、練習者にとって最適なスイングを行うことが出来る。
【００３７】
このゴルフクラブ練習補助具によるゴルフ練習で、テークバックから、ダウンスイング、インパクトゾーン、そしてフォローゾーンへの振りによる円軌道を目標に向かわせる練習を正確に行えるようになる。
【００３８】
図３に示すゴルフクラブ練習補助具１にあっては、音発生部４０は次の構造となる。音発生部４０の固着部４３は、三角形状板５の先端部２２に固定される固定部４１と、中空筐体部３１に固定され、固定部４１に長手溝の方向に対して回動可能に取付けられる回動部４２とからなる。
【００３９】
音発生部４０の固定部４１は、三角形状板５の三葉部２１の中央の葉部の先端部２２に取付けられる。この固定部４１は、先端部２２を覆うように環状に形成され、先端部２２を覆った後に六角ねじ等のねじ締結手段４６により締め付けることで固定部４１を先端部２２に締付け固定する。また、固定部４１には、円盤状の回動部４２が一般的な首ふり機構のごとく、回転可能に取り付けられる。この回動部４２に、中空筐体部３１が固定取付けされる。これにより、鈴３２は、固定部４１に取りついた状態で、長手溝３に対して回転が可能となる。この固定部４１と回動部４２の構造は、回動部４２が長手溝３に対して回動可能に固定部４１に取付けられるものであれば、別の構造であってもよい。
【００４０】
次に、上述したゴルフ練習具を基に構成された本実施例について説明する。
【００４１】
図３は、本考案の実施例の構造を示す斜視図であることは先に記載した。
【００４２】
図３において、取り付け板２の一方側の面には、一点鎖線で示す一方のゴルフクラブスイング開始直後の確認ライン５１が、そして他方側の面には、実線で示す一方のゴルフクラブスイング終了前の確認ライン５２が設けられる。図では、ゴルフクラブスイング開始直後の確認ライン５１、ゴルフクラブスイング終了前の確認ライン５２が描かれている。一方側の面と他方側の面とは表裏をなし、図３にあっては、実線で示す一方のゴルフクラブスイング終了前の確認ライン５２が描かれた面が表をなし、一点鎖線で示す一方のゴルフクラブスイング開始直後の確認ライン５１が描かれた面が裏をなすものとされている。
【００４３】
これらの確認ライン５１、５２は、図ではそれぞれ一本の線で描かれているが、線で描かれなくても、例えば領域で表して、領域端を線で表示することで確認ラインとすることが出来るまた、２本線で描かれてもよい。また、確認ライン５１、５２は、黒色ばかりでなく認識しやすい色表示にすることが出来、蛍光染料によるラインとしてもよい。表面を切り込んだ溝形状で確認ラインとすることができる。
【００４４】
確認ライン５１、５２は、典型的には同一太さの直線状をなすが、曲線の混在したラインとすることもできる。図では、確認ラインが取り付け板の中央部に描かれているが、中央部に限定されず、両側のいずれであってもあってもよい。確認ラインが取り付け板の中央部に描くことで、ゴルフ練習者に視認でき易い確認ラインとすることができる。
【００４５】
図４は、本考案の実施例の構造を示す一方側からの側面図である。
【００４６】
図５は、本考案の実施例の構造を示す他方側からの側面図である。
【００４７】
図４において、取り付け板２の裏面には、２４度と同じ方向に７２度に確認ライン５１が直線状に設けられる。この確認ラインがスイング開始直後の確認ライン５１となる。スイング開始直後の確認ライン５１は、取り付け板２の端部から端部まで設けられ、図では長手溝３から三角形状板５に達している。
【００４８】
図５において、取り付け板２の表面には、２４度と同じ方向に４８度に確認ラインが直線状に設けられる。この確認ラインがスイング終了前の確認ライン５２となる。スイング終了前の確認ライン５２は、取り付け板２の端部から端部まで設けられ、図では長手溝３から三角形状板５に達している。
【００４９】
取り付け板２の取り付け角度を２４度の鋭角とすることで、スイング終了前の確認ライン５２の角度を当該鋭角度の２倍に、そしてスイング開始直後の確認ライン５１の角度を当該鋭角度の３倍に設定することができる。
【００５０】
このように、取り付け板２の片側面上に、ゴルフシャフト１１から見てゴルフシャフトの握り部付近からゴルフシャフトの先端方向に鋭角をなすように形成された、一方のゴルフクラブスイングの確認ライン５１が、そしてその他方側面上に、ゴルフシャフトから見てゴルフシャフトの握り部付近からゴルフシャフトの先端方向に鋭角をなすように形成された、他方のゴルフクラブスイングの確認ライン５２が設けられる。本実施例は、取り付け板の両面に２つの確認ラインをそれぞれ設けたことを特徴とする。
【００５１】
図６は、スイング時におけるこれらのゴルフクラブスイングの確認ライン５１、５２と地表５０との傾斜状態を示す図である。ゴルフクラブスイングの確認ライン５１、５２と地表５０との傾斜角度を視覚感知することで、ゴルフ練習者にゴルフクラブ練習補助具のスイング前後の適正なスイング域を視覚で感知させ得る。ゴルフクラブスイングの確認ライン５１、５２は、撮像装置によって撮影して、画像表示装置に画面に再現することで、ゴルフ練習者にゴルフクラブ練習補助具のスイング前後の適正なスイング域を視覚で感知させ得るようにしてもよい。
【００５２】
図６（a）は、ゴルフクラブ設定時のゴルフクラブの状態を示し、図６（ｂ）は、ゴルフクラブスイング開始直後のゴルフクラブの傾斜状態を示し、図６（ｃ）は、ゴルフクラブスイング終了直前のゴルフクラブの傾斜状態を示す。
【００５３】
ゴルフクラブスイングの確認ライン５１に設定によって、ゴルフ練習者１０にゴルフスイングを開始した直後にゴルフクラブスイング確認ライン５１と地表５０とが並行になるスイング位置を感知させる。
【００５４】
ゴルフクラブスイングの確認ライン５２に設定によって、ゴルフ練習者１０にゴルフクラブスイング終了前におけるゴルフクラブスイング確認ライン５２と地表５０とが並行になるスイング位置を感知させる。ゴルフ練習場にあっては、地表５０は、多くの場合ゴルフマットの表面となる。
【００５５】
これら２つのスイング位置になるスイングで打球されたゴルフボールがまっすぐにフアウエー上に到達し、飛距離が稼げた効果が得られる。
【００５６】
前記取り付け板２は、その片側面上に、ゴルフシャフトから見てゴルフシャフトの握り部付近からゴルフシャフトの先端方向に鋭角をなすように形成された、一方のゴルフクラブスイングの確認ラインが、そしてその他方側面上に、ゴルフシャフトから見てゴルフシャフトの握り部付近からゴルフシャフトの先端方向に鋭角をなすように形成された、他方のゴルフクラブスイングの確認ラインが設けられ、ゴルフクラブ練習者に、一方のゴルフクラブスイング確認ラインがゴルフクラブスイング直前の地表に対する傾斜程度を視認させ得、他方のゴルフクラブスイング確認ラインがゴルフクラブスイング終了直前の地面に対する傾斜程度を視認させ得る取り付け板として構成される。
【００５７】
これによって、特許文献２に記載された、本考案者になるゴルフクラブ練習補助具を活用することでゴルフ練習者に、スイング前後の適正なスイング域を視覚で感知させるゴルフクラブ練習補助具が提供される。
【００５８】
先に説明した鈴の取り付けと共同協同させることで、この効果が倍増される。
【符号の説明】
【００５９】
Ｓ…音、Ｌ…切断線、１…ゴルフクラブ練習補助具、２…取り付け板、３…長手溝、４…取り付け板底部、５…三角形状板、１０…ゴルフ練習者、１１…ゴルフクラブ、１２…ゴルフシャフト、１３…グリップ部、１４…グリップ部１３の近辺のシャフト部分、１７，１８…固定部材、３０、４０…音発生部、３１…中空筐体部、３２…鈴、３３、４３…固着部、３４…中空筐体部内面、４１…固定部、４２…回動部、５０…地表、５１…一方のゴルフクラブスイングの開始直後の確認ライン、５２…ゴルフクラブスイングの終了前の確認ライン。
【図１】
0003219573.tif 000003
【図２】
0003219573.tif 000004
【図３】
0003219573.tif 000005
【図４】
0003219573.tif 000006
【図５】
0003219573.tif 000007
【図６】
0003219573.tif 000008